(57)【特許請求の範囲】
【請求項１】
ファンモーターによって風を発生させる送風装置と、風を吹き出す吹出し孔を有する風吹出し部を設けたノズル部と、前記送風装置と前記ノズル部を連通させる送風ダクトと、前記ノズル部には前記ノズル部を持つためのノズル取っ手部を備え、前記ノズル取っ手部内に前記ファンモーターによって発生される風を温めるヒーターユニットを設けたものであって、前記ノズル取っ手部に、前記送風装置の動作の開始、停止をさせる入／切スイッチを設け、壁または前記送風装置に取り付けられた係止具に前記ノズル取っ手部の前記入／切スイッチが設けられたスイッチ溝に係止し、このノズル取っ手部を前記係止具に着脱させることにより前記入／切スイッチがＯＮ／ＯＦＦできることを特徴とした身体しずく除去乾燥装置。
【請求項２】
ファンモーターによって風を発生させる送風装置と、風を吹き出す吹出し孔を有する風吹出し部を設けたノズル部と、前記送風装置と前記ノズル部を連通させる送風ダクトと、前記ノズル部には前記ノズル部を持つためのノズル取っ手部を備え、前記ノズル取っ手部内に前記ファンモーターによって発生される風を温めるヒーターユニットを設け、前記ノズル取っ手部に、前記送風装置の動作の開始、停止をさせる電源スイッチ、吹出す風の量を調整する風量可変スイッチ、吹出す風の温度を調整する温風スイッチのいずれか単独、あるいは、いずれかの組み合わせで設けたものであって、前記ノズル取っ手部に、前記送風装置の動作の開始、停止をさせる入／切スイッチを設け、壁または前記送風装置に取り付けられた係止具に前記ノズル取っ手部の前記入／切スイッチが設けられたスイッチ溝に係止し、このノズル取っ手部を前記係止具に着脱させることにより前記入／切スイッチがＯＮ／ＯＦＦできることを特徴とした身体しずく除去乾燥装置。
【請求項３】
ファンモーターによって風を発生させる送風装置と、風を吹き出す吹出し孔を有する風吹出し部を設けたノズル部と、前記送風装置と前記ノズル部を連通させる送風ダクトと、前記ノズル部には前記ノズル部を持つためのノズル取っ手部を備え、前記送風装置の底部に前記送風ダクトを接続させるダクト接続部を設けたものであって、前記ノズル取っ手部に、前記送風装置の動作の開始、停止をさせる入／切スイッチを設け、壁または前記送風装置に取り付けられた係止具に前記ノズル取っ手部の前記入／切スイッチが設けられたスイッチ溝に係止し、このノズル取っ手部を前記係止具に着脱させることにより前記入／切スイッチがＯＮ／ＯＦＦできることを特徴とした身体しずく除去乾燥装置。
【請求項４】
ファンモーターによって風を発生させる送風装置と、風を吹き出す吹出し孔を有する風吹出し部を設けたノズル部と、前記送風装置と前記ノズル部を連通させる送風ダクトと、前記ノズル部には前記ノズル部を持つためのノズル取っ手部を備え、前記送風装置の底部に前記送風ダクトを接続させるダクト接続部を設け、前記ノズル取っ手部に、前記送風装置の動作の開始、停止をさせる電源スイッチ、吹出す風の量を調整する風量可変スイッチの両方、またはいずれか単独で設けたものであって、前記ノズル取っ手部に、前記送風装置の動作の開始、停止をさせる入／切スイッチを設け、壁または前記送風装置に取り付けられた係止具に前記ノズル取っ手部の前記入／切スイッチが設けられたスイッチ溝に係止し、このノズル取っ手部を前記係止具に着脱させることにより前記入／切スイッチがＯＮ／ＯＦＦできることを特徴とした身体しずく除去乾燥装置。
【請求項５】
ファンモーターによって風を発生させる送風装置と、風を吹き出す吹出し孔を有する風吹出し部を設けたノズル部と、前記送風装置と前記ノズル部を連通させる送風ダクトと、前記ノズル部には前記ノズル部を持つためのノズル取っ手部を備え、前記ノズル取っ手部内に前記ファンモーターによって発生される風を温めるヒーターユニットを設け、前記ノズル取っ手部に、人感センサーを設けたものであって、前記ノズル取っ手部に、前記送風装置の自動運転と手動運転を切り替えるセンサースイッチを設け、このノズル取っ手部を係止具に着脱させることにより前記センサースイッチにより、自動運転と手動運転が切り換わることを特徴とした身体しずく除去乾燥装置。
【請求項６】
ファンモーターによって風を発生させる送風装置と、風を吹き出す吹出し孔を有する風吹出し部を設けたノズル部と、前記送風装置と前記ノズル部を連通させる送風ダクトと、前記ノズル部には前記ノズル部を持つためのノズル取っ手部を備え、前記ノズル取っ手部内に前記ファンモーターによって発生される風を温めるヒーターユニットを設け、前記ノズル取っ手部に、前記送風装置の動作の開始、停止をさせる電源スイッチ、吹出す風の量を調整する風量可変スイッチ、吹出す風の温度を調整する温風スイッチのいずれか単独、あるいは、いずれかの組み合わせで設け、前記ノズル取っ手部に、人感センサーを設けたものであって、前記ノズル取っ手部に、前記送風装置の自動運転と手動運転を切り替えるセンサースイッチを設け、このノズル取っ手部を係止具に着脱させることにより前記センサースイッチにより、自動運転と手動運転が切り換わることを特徴とした身体しずく除去乾燥装置。
【請求項７】
ファンモーターによって風を発生させる送風装置と、風を吹き出す吹出し孔を有する風吹出し部を設けたノズル部と、前記送風装置と前記ノズル部を連通させる送風ダクトと、前記ノズル部には前記ノズル部を持つためのノズル取っ手部を備え、前記送風装置の底部に前記送風ダクトを接続させるダクト接続部を設け、前記ノズル取っ手部に、人感センサーを設けたものであって、前記ノズル取っ手部に、前記送風装置の自動運転と手動運転を切り替えるセンサースイッチを設け、このノズル取っ手部を係止具に着脱させることにより前記センサースイッチにより、自動運転と手動運転が切り換わることを特徴とした身体しずく除去乾燥装置。
【請求項８】
ファンモーターによって風を発生させる送風装置と、風を吹き出す吹出し孔を有する風吹出し部を設けたノズル部と、前記送風装置と前記ノズル部を連通させる送風ダクトと、前記ノズル部には前記ノズル部を持つためのノズル取っ手部を備え、前記送風装置の底部に前記送風ダクトを接続させるダクト接続部を設け、前記ノズル取っ手部に、前記送風装置の動作の開始、停止をさせる電源スイッチ、吹出す風の量を調整する風量可変スイッチの両方、またはいずれか単独で設け、前記ノズル取っ手部に、人感センサーを設けたものであって、前記ノズル取っ手部に、前記送風装置の自動運転と手動運転を切り替えるセンサースイッチを設け、このノズル取っ手部を係止具に着脱させることにより前記センサースイッチにより、自動運転と手動運転が切り換わることを特徴とした身体しずく除去乾燥装置。
【発明の詳細な説明】
【技術分野】
【０００１】
本発明は、噴流を噴き付けて、入浴等で濡れた人やペット等の体のしずくを除去、乾燥させる身体しずく除去乾燥装置に関する。
【背景技術】
【０００２】
従来、この種の身体しずく除去乾燥装置としては、例えば、特許文献１および特許文献２に示されている構成の技術が開示されている。
【０００３】
図１０に基づいて、その具体例を説明する。
【０００４】
図１０に示すように、使用者が取っ手部１０１を持って操作部１０２の操作スイッチ１０３をオンさせることによってコントローラー１０４が駆動すると、送風装置１０５とヒーターユニット１０６が運転を開始する。送風装置１０５が送風する気流は、ヒーターユニット１０６によって暖められ、本体部１０７に接続しているダクト１０８内を通過しノズル部１０９に流れ、ノズル孔１１０から高速温風として噴出する。この高速温風の接触によって、使用者の身体あるいはペットの表面に有している水分は、空気中に吹き飛ばされることになる。このとき、被乾燥物の周辺の空気は、ノズル孔１１０から噴出される高速温風によって常に新鮮な空気と置換されている。従って、被乾燥物から吹き飛ばされた水分は、常に入れ替わる新鮮な空気中に効率的に気化することになり、被乾燥物の乾燥は短時間で終了するものである。このとき、高速温風はノズル部１０９に設けているノズル孔１１０から噴出するものであるため、接触させたい部位を自由に選択できる。すなわち、洗髪後の髪、手洗い後の手、あるいは足等に、集中して高速温風を接触させることができるものが開示されている。
【特許文献１】特開２００１−１６９９６１号公報
【特許文献２】特開２００３−１６４３９１号公報
【発明の開示】
【発明が解決しようとする課題】
【０００５】
このような従来の身体しずく除去乾燥装置では、熱源であるヒーターユニットがノズル孔から離れたところにあり、ダクト内を通じて温風を送風しているため、送風途中で長い待機時間があり、熱ロスが大きくノズル孔の温度が下がり乾燥時間の短縮化が図れなくなるが、それを解決するために、ヒーターユニットの容量を大きくすると途中の熱ロスをカバーできるが、ヒーターユニットのエネルギーの有効利用からみると好ましくなく、特に冬には、しずく除去乾燥の初期段階で長いダクト内の冷たい空気が吹き出され、初期に冷たい風が身体に当たって使用者に冷たい思いをさせるという課題があった。
【０００６】
また、身体しずく除去乾燥装置を運転していないときに湯気や身体洗浄よって生じる飛散水が、ノズル部内に侵入してヒーターユニットや送風装置内への水浸入による漏電および感電、その他制御回路のマイコン異常等でのノズル部の温度異常過昇による火傷、発煙、発火等が生じるという課題があった。
【０００７】
また、送風装置内でファンモーターが高速で回転して高速風を発生させるため、音が室内に響いて非常にうるさいという課題があった。
【０００８】
そこで本発明は、操作スイッチをオンさせると同時にノズル孔からの高速温風が体に温かさを感じさせることができかつ短時間乾燥でエネルギーロスが少なく、また、安全かつ低騒音で使える身体しずく除去乾燥装置を提供することを目的とする。
【課題を解決するための手段】
【０００９】
本発明の身体しずく除去乾燥装置は上記の目的を達成するために、ファンモーターによって風を発生させる送風装置と、風を吹き出す吹出し孔を有する風吹出し部を設けたノズル部と、前記送風装置と前記ノズル部を連通させる送風ダクトと、前記ノズル部には前記ノズル部を持つためのノズル取っ手部を備える構成であって、前記ノズル取っ手部内に前記ファンモーターによって発生される風を温めるヒーターユニットを設けたものである。
【００１０】
この手段により、操作スイッチをオンさせると同時にノズル孔からの高速温風が体に温かさを感じさせることができかつ短時間乾燥でエネルギーロスが少ない身体しずく除去乾燥装置が得られる。
【００１１】
また、他の手段は、ファンモーターによって風を発生させる送風装置と、風を吹き出す吹出し孔を有する風吹出し部を設けたノズル部と、前記送風装置と前記ノズル部を連通させる送風ダクトと、前記ノズル部には前記ノズル部を持つためのノズル取っ手部を備える構成であって、前記送風装置の底部に前記送風ダクトを接続させるダクト接続部を設けた
ものである。
【００１２】
この手段により、安全な身体しずく除去乾燥装置が得られる。
【００１３】
また、他の手段は、ファンモーターによって風を発生させる送風装置と、風を吹き出す吹出し孔を有する風吹出し部を設けたノズル部と、前記送風装置と前記ノズル部を連通させる送風ダクトを備える構成であって、前記送風装置を屋外または室外に設け、前記送風ダクトを壁貫通させてノズル部を室内に設けたものである。
【００１４】
この手段により、低騒音な身体しずく除去乾燥装置が得られる。
【発明の効果】
【００１５】
本発明によれば、ファンモーターによって風を発生させる送風装置と、風を吹き出す吹出し孔を有する風吹出し部を設けたノズル部と、前記送風装置と前記ノズル部を連通させる送風ダクトと、前記ノズル部には前記ノズル部を持つためのノズル取っ手部を備える構成であって、前記ノズル取っ手部内に前記ファンモーターによって発生される風を温めるヒーターユニットを設けたことにより、運転後すぐ温風が吹き出すため、温風の待機時間が短く、省エネルギーで乾燥時間が短くなるという効果のある身体しずく除去乾燥装置を提供できる。
【００１６】
また、ファンモーターによって風を発生させる送風装置と、風を吹き出す吹出し孔を有する風吹出し部を設けたノズル部と、前記送風装置と前記ノズル部を連通させる送風ダクトと、前記ノズル部には前記ノズル部を持つためのノズル取っ手部を備える構成であって、前記送風装置の底部に前記送風ダクトを接続させるダクト接続部を設けたことにより、身体しずく除去乾燥装置を運転していない時の湯気や身体洗浄などによって生じる飛散水がノズル部内から送風ダクト内へ浸入しても、少量の水であれば送風ダクトに溜まって送風装置内に行かないため、漏電や感電しない安全であるという効果のある身体しずく除去乾燥装置を提供できる。
【００１７】
また、ファンモーターによって風を発生させる送風装置と、風を吹き出す吹出し孔を有する風吹出し部を設けたノズル部と、前記送風装置と前記ノズル部を連通させる送風ダクトを備える構成であって、前記送風装置を屋外または室外に設け、前記送風ダクトを壁貫通させてノズル部を室内に設けたことにより、音が室内に響かない低騒音であるという効果のある身体しずく除去乾燥装置を提供できる。
【発明を実施するための最良の形態】
【００２６】
本発明の身体しずく除去乾燥装置は、ノズル取っ手部に送風装置の動作の開始、停止をさせる入／切スイッチを設け、壁または前記送風装置に取り付けられた係止具に前記ノズル取っ手部の前記入／切スイッチが設けられたスイッチ溝に係止し、このノズル取っ手部を前記係止具に着脱させることにより前記入／切スイッチがＯＮ／ＯＦＦできるものであり、ノズル部を係止具に係止させた状態で入／切スイッチがＯＦＦ、ノズル部を係止具から外せば入／切スイッチがＯＮになるため、使用時いちいち電源スイッチを入り切りする必要がなく、使い勝手を良くすることができるという作用を有する。
【００２８】
また、ノズル取っ手部に、送風装置の自動運転と手動運転を切り替えるセンサースイッチを設け、このノズル取っ手部を係止具に着脱させることにより前記センサースイッチにより、自動運転と手動運転が切り換わるものであり、ノズル取っ手部を係止具に係止させた状態でセンサースイッチがＯＮ、ノズル取っ手部を係止具から外せばセンサースイッチがＯＦＦになるため、係止具に係止させた状態で髪の毛などを両手で乾燥させる場合は、人感センサーの自動運転で動作し、係止具から外せば手動によって身体だけでなく多目的に使用できるという作用を有する。
【００３１】
以下、本発明の一実施の形態について、図面を参照しながら説明する。
【００３２】
（実施の形態１）
図１〜図３を用いて説明をおこなう。
【００３３】
身体しずく除去乾燥装置１を設置した浴室２について説明する。浴室２は４方を囲う壁４と、浴槽５と、身体などを洗う洗い場６と、この浴室２に出入りするためのドア３を設けている。この浴室２の壁４に、身体しずく除去乾燥装置１が設置されている。
【００３４】
次に、浴室２に設置された身体しずく除去乾燥装置１は、主に、風を発生させる送風装置７と、この送風装置７で発生した風を送風する可とう性のある送風ダクト２７と、この送風ダクト２７の先端に設けた風を吹き出すノズル部１８で構成されている。送風装置７内には、風をつくり出すファンモーター９と電装部品を制御する制御回路１０を設け、これらは外郭ケース８で覆われている。送風装置７下面には、風のもとになる空気を取り込む吸込口１４を設け、この吸込口１４には取り込む空気を清浄するフィルター１５が備えられている。また、同じく送風装置７下部には、ファンモーター９からの風をノズル部１８に送るために、送風装置７と送風ダクト２７を接続して連通させたダクト接続部１７を有している。このため、送風ダクト２７はＵ字型に垂れ下がったトラップ部３９を形成することとなる。
【００３５】
また、送風ダクト２７のもう片方の一端には、ノズル部１８を握るためのノズル取っ手部２２を設け、その先端には風を吹き出す複数の吹出し孔１９を有する風吹出し部２０を設けている。ノズル取っ手部２２内には、送風空気を加熱し温風にするヒーターユニット２１を備え、ノズル取っ手部２２表面には、電源を入／切できる電源スイッチ２６と、ノズル部１８から吹き出す風の強さを可変できる風量可変スイッチ２４と、温風の入／切できる温風スイッチ２５を設けている。
【００３６】
送風装置７の設置は、手２９で送風装置７背面に設けた本体引っ掛け部１３を、壁に取り付けた壁掛け金具１２に引っ掛けて壁に固定する。
【００３７】
上記構成により、ノズル取っ手部２２の電源スイッチ２６を押すと、送風装置７のファンモーター９が動作し、空気が高圧の風となって送風ダクト２７を通ってノズル取っ手部２２、ノズル部１８へと送られる。高圧の風は、ノズル取っ手部２２のヒーターユニット２１により暖められて温風となる。温風になった高圧の風は、ノズル部１８の風吹出し部２０に送られ、風吹出し部２０に設けられた複数の吹出し孔１９から高速風が吹き出される。このとき、ヒーターユニット２１がノズル取っ手部２２にあるため、電源スイッチ２６を押すと、ヒーターユニット２１で暖められた空気がすぐに吹出し孔１９から吹き出されるため、使用者が寒い思いをすることがない。また、吸気は、送風装置７の吸込口１４から吸い込まれ、吸込口１４のフィルター１５によって水気や埃、ゴミを除去し、きれいな空気を送風装置７内に取り込む。また、ノズル取っ手部２２の風量可変スイッチ２４と温風スイッチ２５により、風量を強めたり弱めたり、ヒーターユニット２１の温度をコントロールすることにより、用途や使用部位、季節によって自由に手元で調整できる。これら電気部品は、制御回路１０によって制御される。また、この身体しずく除去乾燥装置１は、送風装置７の本体取っ手部１６を持って上に引き上げることにより、浴室２の壁４に固定された壁掛け金具１２から送風装置７の本体引っ掛け部１３が外れ、好きな場所に持ち運べる。また、送風装置７と送風ダクト２７が接続されているダクト接続部１７は、送風装置７の底部に設けているため、送風ダクト２７が垂れ下がってＵ字となりトラップ部３９を形成する。これにより、身体しずく除去乾燥装置１を運転していない時に湯気や身体洗浄などによって生じる飛散水が、吹出し孔１９を通ってノズル部１８内から送風ダクト２７内へ浸入した場合でも、少量の水であれば送風ダクト２７のトラップ部３９に溜まって送風装置７内に行かないため、漏電や感電、故障を防ぐことができる。
【００３８】
なお、ヒーターユニット２１の位置は、ノズル取っ手部２２でなくても、風吹出し部２０や送風ダクト２７内など、吹出し孔１９の近傍であれば効果は同じである。
【００３９】
また、送風ダクト２７のトラップ部３９については、送風装置７の底にタンク状の液溜めを設けても効果は同じである。
【００４０】
（実施の形態２）
実施の形態２は実施の形態１に対して図４に示すように、ノズル部１８内に設けたヒーターユニット２１をＰＴＣヒーター２１Ａとし、送風装置７のファンモーター９を、内部を風が流れるブロアモーター９Ａとしたものである。
【００４１】
上記構成により、ＰＴＣヒーター２１Ａは半導体ヒーターであり、ある一定の温度以上上昇しない特性を持っているため、水浸入などが原因で制御回路１０のマイコンが暴走してもヒーターユニット２１の温度が異常過昇しないため、火傷、発煙、発火等を引き起こすことはない。
【００４２】
また、ブロアモーター９Ａの回転によって発熱した熱を内部に流れる空気によって回収するため、熱回収効率を高め、エネルギーロスを少なくできる。
【００４３】
（実施の形態３）
実施の形態３は実施の形態１に対して図５に示すように、送風装置７と、空気を吹き出す吹出し孔１９を有するノズル部１８と、送風装置７とノズル部１８を連通させる送風ダクト２７を備え、送風装置７は屋外または室外に設けるとともに、壁４に貫通させたダクト貫通穴３７を設け、送風ダクト２７をこのダクト貫通穴３７から室内に引き込み、先端にノズル部１８を設けたものである。
【００４４】
上記構成により、音の発生源である送風装置７内のファンモーター９が屋外または室外に出ており、送風空気はダクト貫通穴３７により壁４を貫通した送風ダクト２７を通って室内側のノズル部１８に供給される。そのため、送風装置７からの音が壁４によって遮られ、使用する室内の騒音を下げることができる。
【００４５】
（実施の形態４）
実施の形態４は実施の形態１に対して図６に示すように、ノズル取っ手部２２は、壁４または送風装置７に取り付けられたノズル取っ手部２２を支持するための係止具３３に係止可能とし、この係止具３３の内側には係止具凸部３６を設けている。ノズル取っ手部２２にはノズル取っ手部２２を係止具３３に係止させる係止具凸部３６が嵌まり込むスイッチ溝３４を設けており、このスイッチ溝３４の中には、電源を入／切できる入／切スイッチ３５を設けたものである。
【００４６】
上記構成により、使用しない状態の時、すなわち係止具３３にノズル取っ手部２２を係止させた状態では、ノズル取っ手部２２のスイッチ溝３４に係止具３３の係止具凸部３６が嵌まり込み、このスイッチ溝３４の中の入／切スイッチ３５が押され、電源がＯＦＦ状態になる。また、使用する時、すなわち係止具３３からノズル取っ手部２２を取り外した状態では、スイッチ溝３４の中の入／切スイッチ３５を押していた係止具３３の係止具凸部３６が外れて、電源がＯＮ状態になる。電源がＯＮ状態になると、ファンモーター９が動作し、ノズル部１８の風吹出し部２０から温風が吹き出し、また、ノズル取っ手部２２にある風量を可変する風量可変スイッチ２４や風の温度を調整できる温風スイッチ２５も自由に切り換えができることとなる。
【００４７】
なお、入／切スイッチ３５はノズル取っ手部２２に設けたが、係止具３３側に設けても効果は同じである。
【００４８】
（実施の形態５）
実施の形態５は実施の形態１に対して図７に示すように、ノズル取っ手部２２に人感センサー２３を設け、ノズル取っ手部２２は、壁４または送風装置７に取り付けられたノズル取っ手部２２を支持するための係止具３３に係止可能とし、この係止具３３の内側には係止具凸部３６を設けている。ノズル取っ手部２２にはノズル取っ手部２２を係止具３３に係止させる係止具凸部３６が嵌まり込むスイッチ溝３４を設けており、このスイッチ溝３４の中には、人感センサーでの動作を切り換えできるセンサースイッチ３８を設けている。これにより、ノズル取っ手部２２を係止具３３に係止させるとセンサースイッチ３８により人感センサー２３が動作状態となって自動運転でき、逆に係止具３３からノズル取っ手部２２を取り外すと人感センサー２３が停止状態となって手動運転に切り換わるものである。
【００４９】
上記構成により、ノズル取っ手部２２を手２９で持たずに使用する時、すなわち係止具３３にノズル取っ手部２２を係止させた状態では、ノズル取っ手部２２のスイッチ溝３４に係止具３３の係止具凸部３６が嵌まり込み、このスイッチ溝３４の中のセンサースイッチ３８が押され、人感センサー２３がＯＮ状態になっている。人感センサー２３がＯＮ状態になると、ノズル部１８に人が近づくと自動的に送風装置７のファンモーター９が動作し、ノズル部１８の風吹出し部２０から温風が吹き出し、例えば頭髪などを乾かす際など両手で髪型を整えながらしずく除去や乾燥ができる。また、ノズル取っ手部２２を手で持って使用する時、すなわち係止具３３からノズル取っ手部２２を取り外した状態では、スイッチ溝３４の中のセンサースイッチ３８を押していた係止具３３の係止具凸部３６が外れて、人感センサー２３がＯＦＦ状態になる。これにより、人感センサー２３での自動運転が解除されるため、ノズル取っ手部２２にある電源スイッチ２６を手動で入れることにより、身体だけでなく、自由に多目的用途に連続的に使用できることとなる。
【００５０】
なお、センサースイッチ３８はノズル取っ手部２２に設けたが、係止具３３側に設けても効果は同じである。
【００５１】
（実施の形態６）
実施の形態６は実施の形態１に対して図８に示すように、ノズル取っ手部２２の先端に設けたノズル差込部３１と風吹出し部２０は、ノズル差込部３１が接続できるノズル差込穴３０を設けることにより、吹出し孔１９を有する風吹出し部２０を着脱自在としている。また用途により、例えばノズル差込部３１に風吹出し部２０Ａのノズル差込穴３０Ａを嵌め込むことにより、吹出し孔１９Ａを有する風吹出し部２０Ａのような形状のノズル部１８Ａを選択できるものである。
【００５２】
上記構成により、ノズル取っ手部２２の先端に設けたノズル差込部３１を風吹出し部２０のノズル差込穴３０から引き抜くと、ノズル取っ手部２２と風吹出し部２０が分離し、風吹出し部２０の代わりに風吹出し部２０Ａを取り付けることにより、形状や吹出し孔１９の異なった物を用途や使用部位に応じて自由に取り換えられるため、効率良くしずく除去や乾燥ができることとなる。
【００５３】
なお、ノズル差込部３１に風吹出し部２０Ａのノズル差込穴３０Ａを嵌め込むことにより、風吹出し部２０の交換ができるようにしたが、この構成でなくても、逆に風吹出し部２０Ａ側をノズル取っ手部２２側に差し込んだり、他の類似の接続方法であっても効果は同じである。
【００５４】
（実施の形態７）
実施の形態７は実施の形態１に対して図９に示すように、風吹出し部２０Ｂの形状をパイプ状とし、表面に複数の吹出し孔１９Ｂを長手方向に列状に設けるとともに折曲げ自在としたものである。
【００５５】
上記構成により、風吹出し部２０Ｂは、例えば蛇腹状などの構造的に可とう性のあるパイプや、銅やアルミニウムなどの材質的に柔らかいパイプでありながら、折曲げ自在で、その折り曲げた形状で保持できる。そのため、例えば手が届かなくて見えない背中やお尻などのしずくを除去させて乾燥させようとした場合、一度その部位の形状に合わせて風吹出し部２０Ｂを折り曲げて整形する。このとき、風吹出し部２０Ｂの表面の複数の吹出し孔１９Ｂが身体方向に向くように整形しておく。そして、人感センサー２３や電源スイッ
チ２６によって電源が入ると、送風装置７のファンモーター９が動作し、ノズル部１８Ｂの風吹出し部２０Ｂから風が吹き出すが、このとき、ゆっくりとノズル部１８Ｂを身体３２に沿って上下させることにより、ムラなく身体３２のしずく除去や乾燥ができることとなる。
【００５６】
なお、風吹出し部２０Ｂの形状をパイプ状としたが、四角や丸などの形状であっても形状が自由に手で成型できるものであれば、効果は同じである。
【産業上の利用可能性】
【００５７】
本発明の身体しずく除去乾燥装置は、温風を吹出すノズルで被乾燥物の水分を吹飛ばしたり乾燥させる構造によって、公衆浴場、温泉に設けられたり、ペットや家畜等の動物を洗浄した後に水分を除去する身体のしずく除去乾燥にも適応できる。
【図面の簡単な説明】
【００５８】
【図１】本発明の実施の形態１の身体しずく除去乾燥装置を設置した浴室の斜視図
【図２】同身体しずく除去乾燥装置の構成図
【図３】同身体しずく除去乾燥装置の送風装置の本体取っ手部を握って持ち運んでいる状態を示す斜視図
【図４】本発明の実施の形態２の身体しずく除去乾燥装置の構成図
【図５】本発明の実施の形態３の身体しずく除去乾燥装置の構成図
【図６】本発明の実施の形態４の身体しずく除去乾燥装置の構成図
【図７】本発明の実施の形態５の身体しずく除去乾燥装置の構成図
【図８】本発明の実施の形態６の身体しずく除去乾燥装置のノズル部の風吹出し部の取り換え着脱を示す構成図
【図９】本発明の実施の形態７の身体しずく除去乾燥装置の折り曲げ自在な風吹出し部と身体の関係を示す上面側構成図
【図１０】従来の身体しずく除去乾燥装置の構成図
【符号の説明】
【００５９】
１      身体しずく除去乾燥装置
４      壁
７      送風装置
９      ファンモーター
９Ａ    ブロアモーター
１７    ダクト接続部
１８    ノズル部
１８Ａ  ノズル部
１８Ｂ  ノズル部
１９    吹出し孔
１９Ａ  吹出し孔
１９Ｂ  吹出し孔
２０    風吹出し部
２０Ａ  風吹出し部
２０Ｂ  風吹出し部
２１    ヒーターユニット
２１Ａ  ＰＴＣヒーター
２２    ノズル取っ手部
２３    人感センサー
２４    風量可変スイッチ
２５    温風スイッチ
２６    電源スイッチ
２７    送風ダクト
２９    手
３３    係止具
３４    スイッチ溝
３５    入／切スイッチ
３８    センサースイッチ
【図１】
0004670645.tif 000002
【図２】
0004670645.tif 000003
【図３】
0004670645.tif 000004
【図４】
0004670645.tif 000005
【図５】
0004670645.tif 000006
【図６】
0004670645.tif 000007
【図７】
0004670645.tif 000008
【図８】
0004670645.tif 000009
【図９】
0004670645.tif 000010
【図１０】
0004670645.tif 000011